(57)【要約】  動画像符号化方法、装置、その他の態様を開示する。当該方法は、入力ビデオビットストリームを受信する受信ステップを含む。複数の参照ピクチャと、時間識別子と、使用識別子と、スケール及びビューのうち少なくとも１つを示す１以上のパラメータとを含むバッファ記述をビットストームのヘッダに書き込む。参照ピクチャを１以上有する参照ピクチャリストを作成する。参照ピクチャリストの参照インデックスに関連付けられている参照ピクチャからビットストリームのブロックを符号化する。参照インデックスを前記ビットストリームに書き込む。
2015506596.tif 000002
【特許請求の範囲】
【請求項１】
入力ビデオビットストリームを受信する受信ステップと、
複数の参照ピクチャと、時間識別子と、使用識別子と、スケール及びビューのうち少なくとも１つを示す１以上のパラメータとを含むバッファ記述を前記ビットストリームのヘッダに書き込むバッファ記述書き込みステップと、
前記参照ピクチャを１以上有する参照ピクチャリストを作成する参照ピクチャリスト作成ステップと、
前記参照ピクチャリストの参照インデックスに関連付けられている参照ピクチャから前記ビットストリームのブロックを符号化する符号化ステップと、
前記参照インデックスを前記ビットストリームに書き込む参照インデックス書き込みステップとを含む
動画像符号化方法。
【請求項２】
前記参照ピクチャリスト作成ステップは、
使用パラメータに基づいて、有効参照ピクチャ群を選択する選択ステップと、
スケール及びビューのうち少なくとも１つを示す共通のパラメータを有するピクチャのサブセットに前記有効参照ピクチャを分類する分類ステップと、
ピクチャ・オーダー・カウントに応じた順序で各サブセット内の前記参照ピクチャに前記参照インデックスを割り当てる割り当てステップとを含む
請求項１記載の方法。
【請求項３】
前記参照ピクチャリスト作成ステップは、
使用パラメータと、前記ビューパラメータ及びスケールパラメータのうち少なくとも１つとに基づいて、有効参照ピクチャ群を選択する選択ステップと、
スケール及びビューのうち少なくとも１つを示す共通のパラメータを有するピクチャのサブセットに前記有効参照ピクチャを分類する分類ステップと、
ピクチャ・オーダー・カウントに応じた順序で各サブセット内の前記参照ピクチャに前記参照インデックスを割り当てる割り当てステップとを含む
請求項１記載の方法。
【請求項４】
前記スケールパラメータは、解像度、時間、質のうち少なくとも１つである
請求項１から３のいずれか一項に記載の方法。
【請求項５】
前記スケールパラメータは、０若しくは１の２値、又は、０以上の整数値である
請求項１から３のいずれか一項に記載の方法。
【請求項６】
前記ビューパラメータは、０より大きい整数値である
請求項１から５のいずれか一項に記載の方法。
【請求項７】
入力ビデオビットストリームを受信する受信回路と、
複数の参照ピクチャと、時間識別子と、使用識別子と、スケール及びビューのうち少なくとも１つを示す１以上のパラメータとを含むバッファ記述を前記ビットストリームのヘッダに書き込むバッファ記述書き込み回路と、
前記参照ピクチャを１以上有する参照ピクチャリストを作成する参照ピクチャリスト作成回路と、
前記参照ピクチャリストの参照インデックスに関連付けられている参照ピクチャから前記ビットストリームのブロックを符号化する符号化回路と、
前記参照インデックスを前記ビットストリームに書き込む参照インデックス書き込み回路とを備える
動画像符号化装置。
【請求項８】
スケール及びビューのうち少なくとも１つを示す１以上のパラメータを含むビデオビットストリームからバッファ記述を読み解くバッファ記述読解ステップと、
参照ピクチャを１以上有する参照ピクチャリストを作成する参照ピクチャリスト作成ステップと、
前記ビデオビットストリームから参照インデックスを読み解いて、当該参照インデックスに関連付けられている参照ピクチャを選択する参照インデックス読解ステップと、
選択された前記参照ピクチャからビデオのブロックを復号する復号ステップとを含む
動画像復号方法。
【請求項９】
前記参照ピクチャリスト作成ステップは、
使用パラメータに基づいて、有効参照ピクチャ群を選択する選択ステップと、
スケール及びビューのうち少なくとも１つを示す共通のパラメータを有するピクチャのサブセットに前記有効参照ピクチャを分類する分類ステップと、
ピクチャ・オーダー・カウントに応じた順序で各サブセット内の前記参照ピクチャに前記参照インデックスを割り当てる割り当てステップとを含む
請求項８記載の方法。
【請求項１０】
前記参照ピクチャリスト作成ステップは、
使用パラメータと、前記ビューパラメータ及びスケールパラメータのうち少なくとも１つとに基づいて、有効参照ピクチャ群を選択する選択ステップと、
スケール及びビューのうち少なくとも１つを示す共通のパラメータを有するピクチャのサブセットに前記有効参照ピクチャを分類する分類ステップと、
ピクチャ・オーダー・カウントに応じた順序で各サブセット内の前記参照ピクチャに前記参照インデックスを割り当てる割り当てステップとを含む
請求項８記載の方法。
【請求項１１】
スケール及びビューのうち少なくとも１つを示す１以上のパラメータを含むビデオビットストリームからバッファ記述を読み解くバッファ記述読解回路と、
参照ピクチャを１以上有する参照ピクチャリストを作成する参照ピクチャリスト作成回路と、
前記ビデオビットストリームから参照インデックスを読み解いて、当該参照インデックスに関連付けられている参照ピクチャを選択する参照インデックス読解回路と、
選択された前記参照ピクチャからビデオのブロックを復号する復号回路とを備える
動画像復号装置。
【発明の詳細な説明】
【技術分野】
【０００１】
本発明は、動画像データの符号化及び復号に関する。
【背景技術】
【０００２】
一般に利用される動画像符号化及び復号の標準規格は、Ｈ．２６４として知られている（非特許文献１を参照のこと）。Ｈ．２６４規格では、符号化ピクチャバッファ（ＣＰＢ）と復号ピクチャバッファ（ＤＰＢ）とが規定されている。ＣＰＢは、デコーダで指定される復号順にアクセスユニットを格納する、先入れ先出し型のバッファである。ＤＰＢは、デコーダ向けに指定される、参照用、出力並び替え用、又は、出力遅延用の復号ピクチャを保持するバッファである。Ｈ．２６４規格は、どの参照ピクチャをＤＰＢから削除すべきかを指定する２方式のうち１つによる手法を用いている。第１の方式（「スライディングウィンドウ型参照ピクチャマーキング」）では、参照ピクチャを「参照用には使用しない」とマーキングする先入れ先出しの仕組みを指定する。第２の方式（「適応型参照ピクチャマーキング」）では、ビデオビットストリーム内の特定シンタックス要素に基づいて、選択参照ピクチャを「参照用には使用しない」とマーキングする方法を指定する。
【０００３】
ＩＴＵ−Ｔ  ＳＧ１６  ＷＰ３として、また、ＩＳＯ／ＩＥＣ  ＪＴＣ１／ＳＣ２９／ＷＧ１１としても知られる、高効率動画像圧縮符号化（ＨＥＶＣ）に関する開発段階の標準規格案がある。そして、バッファ記述（ＢＤ）（参照ピクチャセット（ＲＰＳ）としても知られている）が提案されてきた。ＢＤは、対象ピクチャの符号化／復号処理の開始時点において利用可能なＤＰＢ内の参照ピクチャを記述している。ＢＤの基本概念は、参照ピクチャをＤＰＢ内に保持する／とどめるための情報をシグナリングすることである。
【０００４】
具体的に、ＢＤとは、ＤＰＢに格納されている全参照ピクチャのリストのことである。当該リスト内の各項目（１つの参照ピクチャに対応する）は、バッファ要素（ＢＥ）と呼ばれる。ＢＥは、ピクチャ・オーダー・カウント（ＰＯＣ）番号などの固有ピクチャ識別子と、ピクチャの一時的な階層／レベルを示す、使用フラグなどの追加ピクチャ情報とを含む。使用フラグは、カレントピクチャのピクチャ間予測符号化及び復号において参照ピクチャを用いるか否かを示す。参照ピクチャを用いない場合には、その参照ピクチャはＤＰＢに残ったままであり、符号化順序がカレントピクチャより後のピクチャをインター予測符号化及び復号する際に用いてもよい。参照ピクチャリストの作成では使用フラグが必要なため、ＢＤに使用フラグを含めることはエラーに対するロバスト性において有用である。参照ピクチャが見つからない場合（例えば、伝送エラーのため）でも、エンコーダが意図した通りに後続ピクチャの参照ピクチャリストを作成することができる。
【０００５】
ＢＤは、対象ピクチャの符号化／復号処理の開始時点で有効化かつ適用される。有効なＢＤに含まれていないＤＰＢ内のピクチャは、非参照ピクチャとみなされ、「参照用には使用しない」とマーキングされる。「参照用には使用しない」とマーキングされたピクチャは、ＡＶＣ動画像符号化及び復号方式で規定されているようなバンピング処理のため、ＤＰＢ内に保持されたままでもよい。
【０００６】
バンピング処理は、ＤＰＢからピクチャを削除／除去する。ピクチャが参照ピクチャでない場合でも、その出力／表示時間インスタンスまでそれらをＤＰＢ内に保持しておかなければならない可能性がある。
【０００７】
参照ピクチャリストは、対象ピクチャを符号化／復号するために作成される。参照ピクチャリストの各エントリは、参照インデックスを用いて識別される。Ｈ．２６４及びＨＥＶＣには柔軟性があり、有効な参照ピクチャが全て参照ピクチャリストに挙げられているとは限らず、また、有効な１つの参照ピクチャが参照ピクチャリストに２回以上エントリされてもよい。
【先行技術文献】
【非特許文献】
【０００８】
【非特許文献１】ＩＴＵ−Ｔ勧告Ｈ．２６４、オーディオビジュアルサービス全般のための高度ビデオ符号化方式、２０１０年３月
【発明の概要】
【発明が解決しようとする課題】
【０００９】
本発明の一態様は、ＢＤの利用を、ＨＥＶＣ方式のスケーラブル及びマルチビュー拡張仕様などへ拡大／拡張することに関する。広義には、本発明の一態様では、少なくとも１つの追加パラメータをＢＤに設定する。
【課題を解決するための手段】
【００１０】
したがって、以下のような動画像符号化方法が開示されている。当該方法は、入力ビデオビットストリームを受信する受信ステップを含む。複数の参照ピクチャと、時間識別子と、使用識別子と、スケール及びビューのうち少なくとも１つを示す１以上のパラメータとを含むバッファ記述をビットストームのヘッダに書き込む。参照ピクチャを１以上有する参照ピクチャリストを作成する。参照ピクチャリストの参照インデックスに関連付けられている参照ピクチャからビットストリームのブロックを符号化する。参照インデックスを前記ビットストリームに書き込む。
【００１１】
スケールパラメータは、解像度、時間、質のうち少なくとも１つでもよい。スケールパラメータは、０若しくは１の２値、又は、０以上の整数値でもよい。ビューパラメータは、０以上の整数値でもよい。
【００１２】
また、動画像符号化回路／装置も開示されている。当該装置は、入力ビデオビットストリームを受信する受信回路と、複数の参照ピクチャと、時間識別子と、使用識別子と、スケール及びビューのうち少なくとも１つを示す１以上のパラメータとを含むバッファ記述を前記ビットストリームのヘッダに書き込むバッファ記述書き込み回路と、前記参照ピクチャを１以上有する参照ピクチャリストを作成する参照ピクチャリスト作成回路と、前記参照ピクチャリストの参照インデックスに関連付けられている参照ピクチャから前記ビットストリームのブロックを符号化する符号化回路と、前記参照インデックスを前記ビットストリームに書き込む参照インデックス書き込み回路とを備える。
【００１３】
さらに、コンピュータプログラム製品が開示されている。当該製品は、記憶媒体とコンピュータプログラムとを備えている。当該コンピュータプログラムは、入力ビデオビットストリームを受信する受信ステップと、複数の参照ピクチャと、時間識別子と、使用識別子と、スケール及びビューのうち少なくとも１つを示す１以上のパラメータとを含むバッファ記述を前記ビットストリームのヘッダに書き込むバッファ記述書き込みステップと、前記参照ピクチャを１以上有する参照ピクチャリストを作成する参照ピクチャリスト作成ステップと、前記参照ピクチャリストの参照インデックスに関連付けられている参照ピクチャから前記ビットストリームのブロックを符号化する符号化ステップと、前記参照インデックスを前記ビットストリームに書き込む参照インデックス書き込みステップとを実行する。
【００１４】
さらに、データ構造が開示されており、当該データ構造は、時間識別子と、使用識別子と、スケール及びビューのうち少なくとも１つを示す１以上のパラメータとを含む。
【００１５】
開示された符号化動画像信号は、スケール及びビューのうち少なくとも１つを示す１以上のパラメータを含む。
【発明の効果】
【００１６】
本発明の一態様によれば、バッファ記述の利用を拡大又は拡張することができる。
【図面の簡単な説明】
【００１７】
【図１】図１は、動画像／画像符号化装置の構造を示すブロック図である。
【図２】図２は、従来のバッファ記述を示す。
【図３】図３は、１実施形態に係るＢＤである。
【図４】図４は、別の実施形態に係るＢＤである。
【図５】図５は、出力データストリームのデータ構造シンタックスを示す。
【図６】図６は、１実施形態に係る符号化処理のブロックフロー図である。
【図７】図７は、参照ピクチャリスト作成のブロックフロー図である。
【図８】図８は、動画像／画像復号装置の構造を示すブロック図である。
【図９】図９は、１実施形態に係る復号処理のブロックフロー図である。
【図１０】図１０は、コンテンツ配信サービスを実現するコンテンツ供給システムの全体構成図である。
【図１１】図１１は、デジタル放送用システムの全体構成図である。
【図１２】図１２は、テレビの構成例を示すブロック図である。
【図１３】図１３は、光ディスクである記録メディアに情報の読み書きを行う情報再生／記録部の構成例を示すブロック図である。
【図１４】図１４は、光ディスクである記録メディアの構造例を示す図である。
【図１５Ａ】図１５Ａは、携帯電話の一例を示す図である。
【図１５Ｂ】図１５Ｂは、携帯電話の構成例を示すブロック図である。
【図１６】図１６は、多重化データの構成を示す図である。
【図１７】図１７は、各ストリームが多重化データにおいてどのように多重化されているかを模式的に示す図である。
【図１８】図１８は、ＰＥＳパケット列に、ビデオストリームがどのように格納されるかを更に詳しく示した図である。
【図１９】図１９は、多重化データにおけるＴＳパケットとソースパケットの構造を示す図である。
【図２０】図２０は、ＰＭＴのデータ構成を示す図である。
【図２１】図２１は、多重化データ情報の内部構成を示す図である。
【図２２】図２２は、ストリーム属性情報の内部構成を示す図である。
【図２３】図２３は、映像データを識別するステップを示す図である。
【図２４】図２４は、各実施の形態の動画像符号化方法および動画像復号化方法を実現する集積回路の構成例を示すブロック図である。
【図２５】図２５は、駆動周波数を切り替える構成を示す図である。
【図２６】図２６は、映像データを識別し、駆動周波数を切り替えるステップを示す図である。
【図２７】図２７は、映像データの規格と駆動周波数を対応づけたルックアップテーブルの一例を示す図である。
【図２８Ａ】図２８Ａは、信号処理部のモジュールを共有化する構成の一例を示す図である。
【図２８Ｂ】図２８Ｂは、信号処理部のモジュールを共有化する構成の他の一例を示す図である。
【発明を実施するための形態】
【００１８】
（実施の形態１）
図１は、動画像／画像符号化装置１００の構造を示すブロック図である。動画像／画像符号化装置１００は、入力動画像／画像ビットストリームをブロック単位で符号化して符号化出力ビットストリームを作成する装置である。図１に示すように、装置１００は、変換部１０１と、量子化部１０２と、逆量子化（ｉｎｖ．Ｑ）部１０３と、逆変換（ｉｎｖ．Ｔ）部１０４と、ブロックメモリ１０５と、ピクチャメモリ１０６と、イントラ予測部１０７と、インター予測部１０８と、エントロピー符号化部１０９と、加算器１１１と、切替器１１２と、ピクチャメモリ制御部１１３とを備える。
【００１９】
入力ビデオは加算器に入力され、当該加算器は加算値を変換部１０１に出力する。変換部１０１は、加算値を周波数係数に変換し、得られた周波数係数を量子化部１０２に出力する。量子化部１０２は、入力された周波数係数を量子化し、得られた量子化値を逆量子化部１０３とエントロピー符号化部１０９とに出力する。エントロピー符号化部１０９は、量子化部１０２から出力された量子化値を符号化してビットストリームを出力する。
【００２０】
逆量子化部１０３は、量子化部１０２から出力されたサンプル値を逆量子化し、周波数係数を逆変換部１０４に出力する。逆変換部１０４は、周波数係数に逆周波数変換を行うことにより当該周波数係数をビットストリームのサンプル値に変換し、加算器１１１に出力する。加算器１１１は、逆変換部１０４から出力されたビットストリームのサンプル値を（切替器１１２を介して）インター／イントラ予測部１０７、１０８から出力された予測動画像／画像値に加算し、さらなる予測のため、得られた加算値をブロックメモリ１０５又はピクチャメモリ１０６に出力する。インター／イントラ予測部１０７、１０８は、ブロックメモリ１０５又はピクチャメモリ１０６に格納されている再構成動画像／画像を検索し、予測のため、例えば、入力動画像／画像に最も類似した動画像／画像領域を検出する。
【００２１】
ピクチャメモリ制御部１１３は、判断してピクチャメモリ１０６（ＤＰＢ）内のピクチャを参照ピクチャ又は非参照ピクチャとマーキングし、参照ピクチャリストを作成し、ピクチャメモリ１０６からピクチャをバンピング／削除することにより、参照ピクチャを管理する。さらに、ピクチャメモリ制御部１１３は、参照ピクチャリストを作成し、エントロピー符号化部１０９に信号を送信して、基本ピクチャフラグ及びビュー識別子のうち少なくとも１つを含むバッファ記述パラメータを出力ビットストリームに書き込む。
【００２２】
図２は、参照フレームの最大数が４であって、その４つのバッファエントリがＢＥ０、ＢＥ１、ＢＥ２、ＢＥ３である場合の、従来のＢＤ２００を示す。各ＢＥのＰＯＣ及びそれに対応するＵｓａｇｅＦｌａｇが設定される。ＰＯＣ値は時間識別子である。ＵｓａｇｅＦｌａｇ値は、使用状況について表し、「使用」又は「格納」に応じてそれぞれ０又は１の値をとる。
【００２３】
図３は、１実施形態に係るＢＤ３００である。各ＢＤは、ＢａｓｅＰｉｃＦｌａｇという形式の追加パラメータを含む。ＢａｓｅＰｉｃＦｌａｇは、同じＰＯＣを有する、参照ピクチャの２バージョンから１つを一意に特定する。ＢａｓｅＰｉｃＦｌａｇパラメータは、１＝「基本」符号化、０＝「拡張」符号化として、スケーラブル符号化で用いられる。スケーラビリティは、少なくとも、解像度、時間、又は、質に関してである。
【００２４】
図４は、別の実施形態に係るＢＤ４００である。各ＢＤは、ＶｉｅｗＩＤという形式の追加パラメータを含む。ＶｉｅｗＩＤは、同じＰＯＣを有する複数のビューコンポーネントから１つを一意に特定する。（整数の）ＶｉｅｗＩＤパラメータはマルチビュー符号化で用いられ、ここでは、０＝「基本」／第１ビュー、１＝第２ビュー、２＝第３ビューである。同じ時間インスタンス／識別子（例えば、ＰＯＣ）を共有する参照ピクチャを区別するために追加情報をＢＤに含めるという根本的な考えがあれば、他の形式のパラメータでもよいことは当業者にとって明らかであろう。
【００２５】
図５は、ビデオビットストリームのデータ構造を示す。フレームは、ヘッダとピクチャとから構成される（Ｐｉｃ＃１）。ピクチャブロックは、２つのピクチャスライス（Ｓｌｉｃｅ＃１及びＳｌｉｃｅ＃２）で形成される。各スライス＃ｉ内のブロック（Ｂｌｏｃｋ＃ｉ）は、一意な参照ピクチャ（例えば、ＢＤ内のＢＥ２）からインター予測を用いて符号化される。ＢＥ２は、ブロック＃ｉに関連付けられているビット内の参照インデックスによって特定される。ＢＤパラメータ（例えば、ＢＥ０からＢＥ３）は、ヘッダ内に存在する。
【００２６】
ＢＤは、ビデオビットストリームのヘッダ内、例えば、シーケンスパラメータセット（ＳＰＳ）、ピクチャパラメータセット（ＰＰＳ）、適応パラメータセット（ＡＰＳ）、又は、スライスヘッダ（ＳＨ）内に信号化される。ＨＥＶＣでは、複数の周期ＢＤのＰＰＳ内への信号化をサポートしており、多数のスライスにおいて１つの周期ＢＤを参照する。
【００２７】
ここで、図６を参照すると、符号化処理６００は、ステップ６０２において、バッファ要素ごとにパラメータＢａｓｅＰｉｃＦｌａｇ及び／又はＶｉｅｗＩＤを含むバッファ記述をビデオビットストリームのヘッダに書き込むことで開始する。ステップ６０４において、所定の作成方式に従い、バッファ記述内の参照ピクチャを１以上含む参照ピクチャリストを作成する。次に、ステップ６０６において、参照ピクチャリストの参照インデックスに関連付けられている参照ピクチャからインター予測を用いてブロックを符号化する。最後に、ステップ６０８において、参照インデックスをビデオビットストリームに書き込む。参照インデックスは、デコーダのピクチャメモリ８０５内の参照ピクチャを一意に特定する（下記図８を参照のこと）。
【００２８】
図７は、参照ピクチャリスト作成処理７００のフローチャートである（つまり、図６のステップ６０４及び下記図９のステップ９０２）。ステップ７０２において、カレントスライス／ピクチャのＵｓｅＢａｓｅＰｉｃＦｌａｇパラメータに基づいて、ＢＤ／ＲＰＳ内の全参照ピクチャの中から有効な参照ピクチャを複数選択する。（ＵｓｅＢａｓｅＰｉｃＦｌａｇは、符号化／復号対象ピクチャが、符号化／復号済みの基本ピクチャを参照するのか、それとも、拡張ピクチャを参照するのかを指定する。）ＵｓｅＢａｓｅＰｉｃＦｌａｇが１の場合は、ＢａｓｅＰｉｃＦｌａｇが０である参照ピクチャを無効とみなす。そうでなければ（ＵｓｅＢａｓｅＰｉｃＦｌａｇが０の場合）、ＢａｓｅＰｉｃＦｌａｇが１である参照ピクチャを無効とみなす。ステップ７０４において、有効参照ピクチャをサブセットに分類する。各サブセットは、同じＶｉｅｗＩＤを有する有効参照ピクチャで構成される。参照ピクチャリストは、有効参照ピクチャの順序付きリストとして作成される。ステップ７０６において、カレントスライス／ピクチャまでのＰＯＣ距離が小さいものから順に、カレントスライス／ピクチャと同じＶｉｅｗＩＤ  を有するサブセット内の参照ピクチャに昇順で（０から開始）参照インデックスが割り当てられる。そして、ステップ７０８において、まだ割り当てられていない次の参照インデックスを、残りのサブセット内の参照ピクチャに昇順で割り当てる。これは、ＶｉｅｗＩＤが最も小さいサブセットからＶｉｅｗＩＤが最も大きいサブセットまで順に行われる。各サブセット内の参照ピクチャは、カレントスライス／ピクチャまでのＰＯＣ距離が小さいものから順に参照インデックスが割り当てられる。別の実施形態では、関連する「パラメータ」によって当該処理を設計してもよい。例えば、ステップ７０４の分類において、ＢａｓｅＰｉｃＦｌａｇパラメータを用いることもできる。また、ＶｉｅｗＩＤ及び／又はＢａｓｅＰｉｃＦｌａｇパラメータを有効参照ピクチャの選択において用いることもできる。
【００２９】
ステップ７０２から７０８において、初期参照ピクチャリストが作成される。ステップ７１０において、エンコーダは、任意選択でビデオビットストリームにシグナリングして、初期参照ピクチャリストを並び換えてもかまわない。このような信号を用いて、デコーダは同じ並び換え処理を行うことができる。
【００３０】
ＡＶＣ及び現段階のＨＥＶＣでは、カレントスライス／ピクチャの符号化／復号処理において、最大２つの参照ピクチャリスト（例えば、「Ｌｉｓｔ０」及び「Ｌｉｓｔ１」）が用いられる。Ｌｉｓｔ０では、カレントスライス／ピクチャよりもＰＯＣが小さい（つまり、時間的に先の）参照ピクチャが参照ピクチャリストの先頭に置かれるように並べられ、カレントスライス／ピクチャよりもＰＯＣが大きい（つまり、時間的に後の）残りの参照ピクチャがリストの最後に付け加えられる。Ｌｉｓｔ１では、逆の手順、つまり、より大きなＰＯＣが先でその後に小さなＰＯＣが続くように並べられる。
【００３１】
本発明の実施形態の効果は、例えば、ＨＥＶＣ方式のスケーラブル及びマルチビュー拡張仕様などへＢＤの利用を拡張／適応させることである。広義には、少なくとも１つの追加パラメータをＢＤに設定する。追加パラメータにより、フレームメモリ（ＤＰＢ）内の参照ピクチャを、ＢＤにおいて一意に特定することができ、続いてインター予測処理で用いることができる。追加パラメータがなければ、参照ピクチャを一意に特定する手法は利用できない。
【００３２】
（実施の形態２）
図８は、本発明の実施形態における動画像／画像復号装置８００の構造を示すブロック図である。動画像／画像復号装置８００は、入力符号化ビットストリームをブロック単位で復号し、動画像／画像を出力する装置であり、図８に示すように、エントロピー復号部８０１と、逆量子化（ｉｎｖ．Ｑ）部８０２と、逆変換（ｉｎｖ．Ｔ）部８０３と、ブロックメモリ８０４と、ピクチャメモリ８０５と、イントラ予測部８０６と、インター予測部８０７と、加算器８０８と、切替器８０９と、ピクチャメモリ制御部８１０とを備える。
【００３３】
入力符号化ビットストリームは、エントロピー復号部８０１に入力される。入力符号化ビットストリームをエントロピー復号部８０１に入力した後、エントロピー復号部８０１は入力符号化ビットストリームを復号し、その復号値を逆量子化部８０２に出力する。逆量子化部８０２は、復号値を逆量子化し、周波数係数を逆変換部８０３に出力する。逆変換部８０３は、周波数係数に逆周波数変換を行うことにより当該周波数係数をサンプル値に変換し、得られた画素値を加算器８０８に出力する。加算器８０８は、得られた画素値を、切替器８０９を介してイントラ／インター予測部８０６、８０７から出力された予測動画像／画像値と加算し、得られた値をディスプレイに出力するとともに、さらなる予測のため、得られた値をブロックメモリ８０４又はピクチャメモリ８０５に出力する。また、イントラ／インター予測部８０６、８０７は、ブロックメモリ８０４又はピクチャメモリ８０５に格納されている動画像／画像を検索し、予測のため、例えば、復号動画像／画像に最も類似した動画像／画像領域を検出する。
【００３４】
ピクチャメモリ制御部８１０は、基本ピクチャフラグ又はビュー識別子を含むバッファ記述パラメータを入力ビットストリームから読み解いて参照ピクチャを特定及び管理し、初期参照ピクチャリストを作成する。また、ピクチャメモリ制御部８１０は、ピクチャメモリ８０５（ＤＰＢ）内のピクチャを参照ピクチャ又は非参照ピクチャとマーキングし、ピクチャメモリ８０５からピクチャをバンピング／削除することにより参照ピクチャを管理し、参照ピクチャリストを作成する。
【００３５】
図９は、復号処理９００のフローチャートである。ステップ９０２において、バッファ要素ごとのＢａｓｅＰｉｃＦｌａｇ及び／又はＶｉｅｗＩＤを含むビデオビットストリームのヘッダからバッファ記述を読み解く。ステップ９０４において、所定の作成方式に従い、バッファ記述内の参照ピクチャを１以上含む参照ピクチャリストを作成する（例えば、図７の処理７００）。次に、ステップ９０６において、ビデオビットストリームから参照インデックスを読み解いて、当該参照インデックスに関連付けられている参照ピクチャを参照ピクチャリストから選択する。最後に、ステップ９０８において、選択された参照ピクチャからインター予測を用いてブロックを復号する。
【００３６】
本発明の実施形態の効果は、拡張／拡大ＢＤを用いて符号化されたビデオデータを復号可能にすることである。追加パラメータにより、フレームメモリ（ＤＰＢ）内の参照ピクチャを、ＢＤにおいて一意に特定することができ、続いてインター予測処理で用いることができる。追加パラメータがなければ、参照ピクチャを一意に特定する手法は利用できない。
【００３７】
（実施の形態３）
上記各実施の形態で示した動画像符号化方法（画像符号化方法）または動画像復号化方法（画像復号方法）の構成を実現するためのプログラムを記憶メディアに記録することにより、上記各実施の形態で示した処理を独立したコンピュータシステムにおいて簡単に実施することが可能となる。記憶メディアは、磁気ディスク、光ディスク、光磁気ディスク、ＩＣカード、半導体メモリ等、プログラムを記録できるものであればよい。
【００３８】
さらにここで、上記各実施の形態で示した動画像符号化方法（画像符号化方法）や動画像復号化方法（画像復号方法）の応用例とそれを用いたシステムを説明する。当該システムは、画像符号化方法を用いた画像符号化装置、及び画像復号方法を用いた画像復号装置からなる画像符号化復号装置を有することを特徴とする。システムにおける他の構成について、場合に応じて適切に変更することができる。
【００３９】
図１０は、コンテンツ配信サービスを実現するコンテンツ供給システムｅｘ１００の全体構成を示す図である。通信サービスの提供エリアを所望の大きさに分割し、各セル内にそれぞれ固定無線局である基地局ｅｘ１０６、ｅｘ１０７、ｅｘ１０８、ｅｘ１０９、ｅｘ１１０が設置されている。
【００４０】
このコンテンツ供給システムｅｘ１００は、インターネットｅｘ１０１にインターネットサービスプロバイダｅｘ１０２および電話網ｅｘ１０４、および基地局ｅｘ１０６からｅｘ１１０を介して、コンピュータｅｘ１１１、ＰＤＡ（Ｐｅｒｓｏｎａｌ  Ｄｉｇｉｔａｌ  Ａｓｓｉｓｔａｎｔ）ｅｘ１１２、カメラｅｘ１１３、携帯電話ｅｘ１１４、ゲーム機ｅｘ１１５などの各機器が接続される。
【００４１】
しかし、コンテンツ供給システムｅｘ１００は図１０のような構成に限定されず、いずれかの要素を組合せて接続するようにしてもよい。また、固定無線局である基地局ｅｘ１０６からｅｘ１１０を介さずに、各機器が電話網ｅｘ１０４に直接接続されてもよい。また、各機器が近距離無線等を介して直接相互に接続されていてもよい。
【００４２】
カメラｅｘ１１３はデジタルビデオカメラ等の動画撮影が可能な機器であり、カメラｅｘ１１６はデジタルカメラ等の静止画撮影、動画撮影が可能な機器である。また、携帯電話ｅｘ１１４は、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）方式、ＣＤＭＡ（Ｃｏｄｅ  Ｄｉｖｉｓｉｏｎ  Ｍｕｌｔｉｐｌｅ  Ａｃｃｅｓｓ）方式、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）方式、若しくはＬＴＥ（Ｌｏｎｇ  Ｔｅｒｍ  Ｅｖｏｌｕｔｉｏｎ）方式、ＨＳＰＡ（Ｈｉｇｈ  Ｓｐｅｅｄ  Ｐａｃｋｅｔ  Ａｃｃｅｓｓ）の携帯電話機、またはＰＨＳ（Ｐｅｒｓｏｎａｌ  Ｈａｎｄｙｐｈｏｎｅ  Ｓｙｓｔｅｍ）等であり、いずれでも構わない。
【００４３】
コンテンツ供給システムｅｘ１００では、カメラｅｘ１１３等が基地局ｅｘ１０９、電話網ｅｘ１０４を通じてストリーミングサーバｅｘ１０３に接続されることで、ライブ配信等が可能になる。ライブ配信では、ユーザがカメラｅｘ１１３を用いて撮影するコンテンツ（例えば、音楽ライブの映像等）に対して上記各実施の形態で説明したように符号化処理を行い（即ち、本発明の一態様に係る画像符号化装置として機能する）、ストリーミングサーバｅｘ１０３に送信する。一方、ストリーミングサーバｅｘ１０３は要求のあったクライアントに対して送信されたコンテンツデータをストリーム配信する。クライアントとしては、上記符号化処理されたデータを復号化することが可能な、コンピュータｅｘ１１１、ＰＤＡｅｘ１１２、カメラｅｘ１１３、携帯電話ｅｘ１１４、ゲーム機ｅｘ１１５等がある。配信されたデータを受信した各機器では、受信したデータを復号化処理して再生する（即ち、本発明の一態様に係る画像復号装置として機能する）。
【００４４】
なお、撮影したデータの符号化処理はカメラｅｘ１１３で行っても、データの送信処理をするストリーミングサーバｅｘ１０３で行ってもよいし、互いに分担して行ってもよい。同様に配信されたデータの復号化処理はクライアントで行っても、ストリーミングサーバｅｘ１０３で行ってもよいし、互いに分担して行ってもよい。また、カメラｅｘ１１３に限らず、カメラｅｘ１１６で撮影した静止画像および／または動画像データを、コンピュータｅｘ１１１を介してストリーミングサーバｅｘ１０３に送信してもよい。この場合の符号化処理はカメラｅｘ１１６、コンピュータｅｘ１１１、ストリーミングサーバｅｘ１０３のいずれで行ってもよいし、互いに分担して行ってもよい。
【００４５】
また、これら符号化・復号化処理は、一般的にコンピュータｅｘ１１１や各機器が有するＬＳＩｅｘ５００において処理する。ＬＳＩｅｘ５００は、ワンチップであっても複数チップからなる構成であってもよい。なお、動画像符号化・復号化用のソフトウェアをコンピュータｅｘ１１１等で読み取り可能な何らかの記録メディア（ＣＤ−ＲＯＭ、フレキシブルディスク、ハードディスクなど）に組み込み、そのソフトウェアを用いて符号化・復号化処理を行ってもよい。さらに、携帯電話ｅｘ１１４がカメラ付きである場合には、そのカメラで取得した動画データを送信してもよい。このときの動画データは携帯電話ｅｘ１１４が有するＬＳＩｅｘ５００で符号化処理されたデータである。
【００４６】
また、ストリーミングサーバｅｘ１０３は複数のサーバや複数のコンピュータであって、データを分散して処理したり記録したり配信するものであってもよい。
【００４７】
以上のようにして、コンテンツ供給システムｅｘ１００では、符号化されたデータをクライアントが受信して再生することができる。このようにコンテンツ供給システムｅｘ１００では、ユーザが送信した情報をリアルタイムでクライアントが受信して復号化し、再生することができ、特別な権利や設備を有さないユーザでも個人放送を実現できる。
【００４８】
なお、コンテンツ供給システムｅｘ１００の例に限らず、図１１に示すように、デジタル放送用システムｅｘ２００にも、上記各実施の形態の少なくとも動画像符号化装置（画像符号化装置）または動画像復号化装置（画像復号装置）のいずれかを組み込むことができる。具体的には、放送局ｅｘ２０１では映像データに音楽データなどが多重化された多重化データが電波を介して通信または衛星ｅｘ２０２に伝送される。この映像データは上記各実施の形態で説明した動画像符号化方法により符号化されたデータである（即ち、本発明の一態様に係る画像符号化装置によって符号化されたデータである）。これを受けた放送衛星ｅｘ２０２は、放送用の電波を発信し、この電波を衛星放送の受信が可能な家庭のアンテナｅｘ２０４が受信する。受信した多重化データを、テレビ（受信機）ｅｘ３００またはセットトップボックス（ＳＴＢ）ｅｘ２１７等の装置が復号化して再生する（即ち、本発明の一態様に係る画像復号装置として機能する）。
【００４９】
また、ＤＶＤ、ＢＤ等の記録メディアｅｘ２１５に記録した多重化データを読み取り復号化する、または記録メディアｅｘ２１５に映像信号を符号化し、さらに場合によっては音楽信号と多重化して書き込むリーダ／レコーダｅｘ２１８にも上記各実施の形態で示した動画像復号化装置または動画像符号化装置を実装することが可能である。この場合、再生された映像信号はモニタｅｘ２１９に表示され、多重化データが記録された記録メディアｅｘ２１５により他の装置やシステムにおいて映像信号を再生することができる。また、ケーブルテレビ用のケーブルｅｘ２０３または衛星／地上波放送のアンテナｅｘ２０４に接続されたセットトップボックスｅｘ２１７内に動画像復号化装置を実装し、これをテレビのモニタｅｘ２１９で表示してもよい。このときセットトップボックスではなく、テレビ内に動画像復号化装置を組み込んでもよい。
【００５０】
図１２は、上記各実施の形態で説明した動画像復号化方法および動画像符号化方法を用いたテレビ（受信機）ｅｘ３００を示す図である。テレビｅｘ３００は、上記放送を受信するアンテナｅｘ２０４またはケーブルｅｘ２０３等を介して映像データに音声データが多重化された多重化データを取得、または出力するチューナｅｘ３０１と、受信した多重化データを復調する、または外部に送信する多重化データに変調する変調／復調部ｅｘ３０２と、復調した多重化データを映像データと、音声データとに分離する、または信号処理部ｅｘ３０６で符号化された映像データ、音声データを多重化する多重／分離部ｅｘ３０３を備える。
【００５１】
また、テレビｅｘ３００は、音声データ、映像データそれぞれを復号化する、またはそれぞれの情報を符号化する音声信号処理部ｅｘ３０４、映像信号処理部ｅｘ３０５（本発明の一態様に係る画像符号化装置または画像復号装置として機能する）を有する信号処理部ｅｘ３０６と、復号化した音声信号を出力するスピーカｅｘ３０７、復号化した映像信号を表示するディスプレイ等の表示部ｅｘ３０８を有する出力部ｅｘ３０９とを有する。さらに、テレビｅｘ３００は、ユーザ操作の入力を受け付ける操作入力部ｅｘ３１２等を有するインタフェース部ｅｘ３１７を有する。さらに、テレビｅｘ３００は、各部を統括的に制御する制御部ｅｘ３１０、各部に電力を供給する電源回路部ｅｘ３１１を有する。インタフェース部ｅｘ３１７は、操作入力部ｅｘ３１２以外に、リーダ／レコーダｅｘ２１８等の外部機器と接続されるブリッジｅｘ３１３、ＳＤカード等の記録メディアｅｘ２１６を装着可能とするためのスロット部ｅｘ３１４、ハードディスク等の外部記録メディアと接続するためのドライバｅｘ３１５、電話網と接続するモデムｅｘ３１６等を有していてもよい。なお記録メディアｅｘ２１６は、格納する不揮発性／揮発性の半導体メモリ素子により電気的に情報の記録を可能としたものである。テレビｅｘ３００の各部は同期バスを介して互いに接続されている。
【００５２】
まず、テレビｅｘ３００がアンテナｅｘ２０４等により外部から取得した多重化データを復号化し、再生する構成について説明する。テレビｅｘ３００は、リモートコントローラｅｘ２２０等からのユーザ操作を受け、ＣＰＵ等を有する制御部ｅｘ３１０の制御に基づいて、変調／復調部ｅｘ３０２で復調した多重化データを多重／分離部ｅｘ３０３で分離する。さらにテレビｅｘ３００は、分離した音声データを音声信号処理部ｅｘ３０４で復号化し、分離した映像データを映像信号処理部ｅｘ３０５で上記各実施の形態で説明した復号化方法を用いて復号化する。復号化した音声信号、映像信号は、それぞれ出力部ｅｘ３０９から外部に向けて出力される。出力する際には、音声信号と映像信号が同期して再生するよう、バッファｅｘ３１８、ｅｘ３１９等に一旦これらの信号を蓄積するとよい。また、テレビｅｘ３００は、放送等からではなく、磁気／光ディスク、ＳＤカード等の記録メディアｅｘ２１５、ｅｘ２１６から多重化データを読み出してもよい。次に、テレビｅｘ３００が音声信号や映像信号を符号化し、外部に送信または記録メディア等に書き込む構成について説明する。テレビｅｘ３００は、リモートコントローラｅｘ２２０等からのユーザ操作を受け、制御部ｅｘ３１０の制御に基づいて、音声信号処理部ｅｘ３０４で音声信号を符号化し、映像信号処理部ｅｘ３０５で映像信号を上記各実施の形態で説明した符号化方法を用いて符号化する。符号化した音声信号、映像信号は多重／分離部ｅｘ３０３で多重化され外部に出力される。多重化する際には、音声信号と映像信号が同期するように、バッファｅｘ３２０、ｅｘ３２１等に一旦これらの信号を蓄積するとよい。なお、バッファｅｘ３１８、ｅｘ３１９、ｅｘ３２０、ｅｘ３２１は図示しているように複数備えていてもよいし、１つ以上のバッファを共有する構成であってもよい。さらに、図示している以外に、例えば変調／復調部ｅｘ３０２や多重／分離部ｅｘ３０３の間等でもシステムのオーバフロー、アンダーフローを避ける緩衝材としてバッファにデータを蓄積することとしてもよい。
【００５３】
また、テレビｅｘ３００は、放送等や記録メディア等から音声データ、映像データを取得する以外に、マイクやカメラのＡＶ入力を受け付ける構成を備え、それらから取得したデータに対して符号化処理を行ってもよい。なお、ここではテレビｅｘ３００は上記の符号化処理、多重化、および外部出力ができる構成として説明したが、これらの処理を行うことはできず、上記受信、復号化処理、外部出力のみが可能な構成であってもよい。
【００５４】
また、リーダ／レコーダｅｘ２１８で記録メディアから多重化データを読み出す、または書き込む場合には、上記復号化処理または符号化処理はテレビｅｘ３００、リーダ／レコーダｅｘ２１８のいずれで行ってもよいし、テレビｅｘ３００とリーダ／レコーダｅｘ２１８が互いに分担して行ってもよい。
【００５５】
一例として、光ディスクからデータの読み込みまたは書き込みをする場合の情報再生／記録部ｅｘ４００の構成を図１３に示す。情報再生／記録部ｅｘ４００は、以下に説明する要素ｅｘ４０１、ｅｘ４０２、ｅｘ４０３、ｅｘ４０４、ｅｘ４０５、ｅｘ４０６、ｅｘ４０７を備える。光ヘッドｅｘ４０１は、光ディスクである記録メディアｅｘ２１５の記録面にレーザスポットを照射して情報を書き込み、記録メディアｅｘ２１５の記録面からの反射光を検出して情報を読み込む。変調記録部ｅｘ４０２は、光ヘッドｅｘ４０１に内蔵された半導体レーザを電気的に駆動し記録データに応じてレーザ光の変調を行う。再生復調部ｅｘ４０３は、光ヘッドｅｘ４０１に内蔵されたフォトディテクタにより記録面からの反射光を電気的に検出した再生信号を増幅し、記録メディアｅｘ２１５に記録された信号成分を分離して復調し、必要な情報を再生する。バッファｅｘ４０４は、記録メディアｅｘ２１５に記録するための情報および記録メディアｅｘ２１５から再生した情報を一時的に保持する。ディスクモータｅｘ４０５は記録メディアｅｘ２１５を回転させる。サーボ制御部ｅｘ４０６は、ディスクモータｅｘ４０５の回転駆動を制御しながら光ヘッドｅｘ４０１を所定の情報トラックに移動させ、レーザスポットの追従処理を行う。システム制御部ｅｘ４０７は、情報再生／記録部ｅｘ４００全体の制御を行う。上記の読み出しや書き込みの処理はシステム制御部ｅｘ４０７が、バッファｅｘ４０４に保持された各種情報を利用し、また必要に応じて新たな情報の生成・追加を行うと共に、変調記録部ｅｘ４０２、再生復調部ｅｘ４０３、サーボ制御部ｅｘ４０６を協調動作させながら、光ヘッドｅｘ４０１を通して、情報の記録再生を行うことにより実現される。システム制御部ｅｘ４０７は例えばマイクロプロセッサで構成され、読み出し書き込みのプログラムを実行することでそれらの処理を実行する。
【００５６】
以上では、光ヘッドｅｘ４０１はレーザスポットを照射するとして説明したが、近接場光を用いてより高密度な記録を行う構成であってもよい。
【００５７】
図１４に光ディスクである記録メディアｅｘ２１５の模式図を示す。記録メディアｅｘ２１５の記録面には案内溝（グルーブ）がスパイラル状に形成され、情報トラックｅｘ２３０には、予めグルーブの形状の変化によってディスク上の絶対位置を示す番地情報が記録されている。この番地情報はデータを記録する単位である記録ブロックｅｘ２３１の位置を特定するための情報を含み、記録や再生を行う装置において情報トラックｅｘ２３０を再生し番地情報を読み取ることで記録ブロックを特定することができる。また、記録メディアｅｘ２１５は、データ記録領域ｅｘ２３３、内周領域ｅｘ２３２、外周領域ｅｘ２３４を含んでいる。ユーザデータを記録するために用いる領域がデータ記録領域ｅｘ２３３であり、データ記録領域ｅｘ２３３より内周または外周に配置されている内周領域ｅｘ２３２と外周領域ｅｘ２３４は、ユーザデータの記録以外の特定用途に用いられる。情報再生／記録部ｅｘ４００は、このような記録メディアｅｘ２１５のデータ記録領域ｅｘ２３３に対して、符号化された音声データ、映像データまたはそれらのデータを多重化した多重化データの読み書きを行う。
【００５８】
以上では、１層のＤＶＤ、ＢＤ等の光ディスクを例に挙げ説明したが、これらに限ったものではなく、多層構造であって表面以外にも記録可能な光ディスクであってもよい。また、ディスクの同じ場所にさまざまな異なる波長の色の光を用いて情報を記録したり、さまざまな角度から異なる情報の層を記録したりなど、多次元的な記録／再生を行う構造の光ディスクであってもよい。
【００５９】
また、デジタル放送用システムｅｘ２００において、アンテナｅｘ２０５を有する車ｅｘ２１０で衛星ｅｘ２０２等からデータを受信し、車ｅｘ２１０が有するカーナビゲーションｅｘ２１１等の表示装置に動画を再生することも可能である。なお、カーナビゲーションｅｘ２１１の構成は例えば図１２に示す構成のうち、ＧＰＳ受信部を加えた構成が考えられ、同様なことがコンピュータｅｘ１１１や携帯電話ｅｘ１１４等でも考えられる。
【００６０】
図１５Ａは、上記実施の形態で説明した動画像復号化方法および動画像符号化方法を用いた携帯電話ｅｘ１１４を示す図である。携帯電話ｅｘ１１４は、基地局ｅｘ１１０との間で電波を送受信するためのアンテナｅｘ３５０、映像、静止画を撮ることが可能なカメラ部ｅｘ３６５、カメラ部ｅｘ３６５で撮像した映像、アンテナｅｘ３５０で受信した映像等が復号化されたデータを表示する液晶ディスプレイ等の表示部ｅｘ３５８を備える。携帯電話ｅｘ１１４は、さらに、操作キー部ｅｘ３６６を有する本体部、音声を出力するためのスピーカ等である音声出力部ｅｘ３５７、音声を入力するためのマイク等である音声入力部ｅｘ３５６、撮影した映像、静止画、録音した音声、または受信した映像、静止画、メール等の符号化されたデータもしくは復号化されたデータを保存するメモリ部ｅｘ３６７、又は同様にデータを保存する記録メディアとのインタフェース部であるスロット部ｅｘ３６４を備える。
【００６１】
さらに、携帯電話ｅｘ１１４の構成例について、図１５Ｂを用いて説明する。携帯電話ｅｘ１１４は、表示部ｅｘ３５８及び操作キー部ｅｘ３６６を備えた本体部の各部を統括的に制御する主制御部ｅｘ３６０に対して、電源回路部ｅｘ３６１、操作入力制御部ｅｘ３６２、映像信号処理部ｅｘ３５５、カメラインタフェース部ｅｘ３６３、ＬＣＤ（Ｌｉｑｕｉｄ  Ｃｒｙｓｔａｌ  Ｄｉｓｐｌａｙ）制御部ｅｘ３５９、変調／復調部ｅｘ３５２、多重／分離部ｅｘ３５３、音声信号処理部ｅｘ３５４、スロット部ｅｘ３６４、メモリ部ｅｘ３６７がバスｅｘ３７０を介して互いに接続されている。
【００６２】
電源回路部ｅｘ３６１は、ユーザの操作により終話及び電源キーがオン状態にされると、バッテリパックから各部に対して電力を供給することにより携帯電話ｅｘ１１４を動作可能な状態に起動する。
【００６３】
携帯電話ｅｘ１１４は、ＣＰＵ、ＲＯＭ、ＲＡＭ等を有する主制御部ｅｘ３６０の制御に基づいて、音声通話モード時に音声入力部ｅｘ３５６で収音した音声信号を音声信号処理部ｅｘ３５４でデジタル音声信号に変換し、これを変調／復調部ｅｘ３５２でスペクトラム拡散処理し、送信／受信部ｅｘ３５１でデジタルアナログ変換処理および周波数変換処理を施した後にアンテナｅｘ３５０を介して送信する。また携帯電話ｅｘ１１４は、音声通話モード時にアンテナｅｘ３５０を介して受信した受信データを増幅して周波数変換処理およびアナログデジタル変換処理を施し、変調／復調部ｅｘ３５２でスペクトラム逆拡散処理し、音声信号処理部ｅｘ３５４でアナログ音声信号に変換した後、これを音声出力部ｅｘ３５７から出力する。
【００６４】
さらにデータ通信モード時に電子メールを送信する場合、本体部の操作キー部ｅｘ３６６等の操作によって入力された電子メールのテキストデータは操作入力制御部ｅｘ３６２を介して主制御部ｅｘ３６０に送出される。主制御部ｅｘ３６０は、テキストデータを変調／復調部ｅｘ３５２でスペクトラム拡散処理をし、送信／受信部ｅｘ３５１でデジタルアナログ変換処理および周波数変換処理を施した後にアンテナｅｘ３５０を介して基地局ｅｘ１１０へ送信する。電子メールを受信する場合は、受信したデータに対してこのほぼ逆の処理が行われ、表示部ｅｘ３５８に出力される。
【００６５】
データ通信モード時に映像、静止画、または映像と音声を送信する場合、映像信号処理部ｅｘ３５５は、カメラ部ｅｘ３６５から供給された映像信号を上記各実施の形態で示した動画像符号化方法によって圧縮符号化し（即ち、本発明の一態様に係る画像符号化装置として機能する）、符号化された映像データを多重／分離部ｅｘ３５３に送出する。また、音声信号処理部ｅｘ３５４は、映像、静止画等をカメラ部ｅｘ３６５で撮像中に音声入力部ｅｘ３５６で収音した音声信号を符号化し、符号化された音声データを多重／分離部ｅｘ３５３に送出する。
【００６６】
多重／分離部ｅｘ３５３は、映像信号処理部ｅｘ３５５から供給された符号化された映像データと音声信号処理部ｅｘ３５４から供給された符号化された音声データを所定の方式で多重化し、その結果得られる多重化データを変調／復調部（変調／復調回路部）ｅｘ３５２でスペクトラム拡散処理をし、送信／受信部ｅｘ３５１でデジタルアナログ変換処理及び周波数変換処理を施した後にアンテナｅｘ３５０を介して送信する。
【００６７】
データ通信モード時にホームページ等にリンクされた動画像ファイルのデータを受信する場合、または映像およびもしくは音声が添付された電子メールを受信する場合、アンテナｅｘ３５０を介して受信された多重化データを復号化するために、多重／分離部ｅｘ３５３は、多重化データを分離することにより映像データのビットストリームと音声データのビットストリームとに分け、同期バスｅｘ３７０を介して符号化された映像データを映像信号処理部ｅｘ３５５に供給するとともに、符号化された音声データを音声信号処理部ｅｘ３５４に供給する。映像信号処理部ｅｘ３５５は、上記各実施の形態で示した動画像符号化方法に対応した動画像復号化方法によって復号化することにより映像信号を復号し（即ち、本発明の一態様に係る画像復号装置として機能する）、ＬＣＤ制御部ｅｘ３５９を介して表示部ｅｘ３５８から、例えばホームページにリンクされた動画像ファイルに含まれる映像、静止画が表示される。また音声信号処理部ｅｘ３５４は、音声信号を復号し、音声出力部ｅｘ３５７から音声が出力される。
【００６８】
また、上記携帯電話ｅｘ１１４等の端末は、テレビｅｘ３００と同様に、符号化器・復号化器を両方持つ送受信型端末の他に、符号化器のみの送信端末、復号化器のみの受信端末という３通りの実装形式が考えられる。さらに、デジタル放送用システムｅｘ２００において、映像データに音楽データなどが多重化された多重化データを受信、送信するとして説明したが、音声データ以外に映像に関連する文字データなどが多重化されたデータであってもよいし、多重化データではなく映像データ自体であってもよい。
【００６９】
このように、上記各実施の形態で示した動画像符号化方法あるいは動画像復号化方法を上述したいずれの機器・システムに用いることは可能であり、そうすることで、上記各実施の形態で説明した効果を得ることができる。
【００７０】
また、本発明はかかる上記実施の形態に限定されるものではなく、本発明の範囲を逸脱することなく種々の変形または修正が可能である。
【００７１】
（実施の形態４）
上記各実施の形態で示した動画像符号化方法または装置と、ＭＰＥＧ−２、ＭＰＥＧ４−ＡＶＣ、ＶＣ−１など異なる規格に準拠した動画像符号化方法または装置とを、必要に応じて適宜切替えることにより、映像データを生成することも可能である。
【００７２】
ここで、それぞれ異なる規格に準拠する複数の映像データを生成した場合、復号する際に、それぞれの規格に対応した復号方法を選択する必要がある。しかしながら、復号する映像データが、どの規格に準拠するものであるか識別できないため、適切な復号方法を選択することができないという課題を生じる。
【００７３】
この課題を解決するために、映像データに音声データなどを多重化した多重化データは、映像データがどの規格に準拠するものであるかを示す識別情報を含む構成とする。上記各実施の形態で示す動画像符号化方法または装置によって生成された映像データを含む多重化データの具体的な構成を以下説明する。多重化データは、ＭＰＥＧ−２トランスポートストリーム形式のデジタルストリームである。
【００７４】
図１６は、多重化データの構成を示す図である。図１６に示すように多重化データは、ビデオストリーム、オーディオストリーム、プレゼンテーショングラフィックスストリーム（ＰＧ）、インタラクティブグラフィックスストリームのうち、１つ以上を多重化することで得られる。ビデオストリームは映画の主映像および副映像を、オーディオストリーム（ＩＧ）は映画の主音声部分とその主音声とミキシングする副音声を、プレゼンテーショングラフィックスストリームは、映画の字幕をそれぞれ示している。ここで主映像とは画面に表示される通常の映像を示し、副映像とは主映像の中に小さな画面で表示する映像のことである。また、インタラクティブグラフィックスストリームは、画面上にＧＵＩ部品を配置することにより作成される対話画面を示している。ビデオストリームは、上記各実施の形態で示した動画像符号化方法または装置、従来のＭＰＥＧ−２、ＭＰＥＧ４−ＡＶＣ、ＶＣ−１などの規格に準拠した動画像符号化方法または装置によって符号化されている。オーディオストリームは、ドルビーＡＣ−３、Ｄｏｌｂｙ  Ｄｉｇｉｔａｌ  Ｐｌｕｓ、ＭＬＰ、ＤＴＳ、ＤＴＳ−ＨＤ、または、リニアＰＣＭのなどの方式で符号化されている。
【００７５】
多重化データに含まれる各ストリームはＰＩＤによって識別される。例えば、映画の映像に利用するビデオストリームには０ｘ１０１１が、オーディオストリームには０ｘ１１００から０ｘ１１１Ｆまでが、プレゼンテーショングラフィックスには０ｘ１２００から０ｘ１２１Ｆまでが、インタラクティブグラフィックスストリームには０ｘ１４００から０ｘ１４１Ｆまでが、映画の副映像に利用するビデオストリームには０ｘ１Ｂ００から０ｘ１Ｂ１Ｆまで、主音声とミキシングする副音声に利用するオーディオストリームには０ｘ１Ａ００から０ｘ１Ａ１Ｆが、それぞれ割り当てられている。
【００７６】
図１７は、多重化データがどのように多重化されるかを模式的に示す図である。まず、複数のビデオフレームからなるビデオストリームｅｘ２３５、複数のオーディオフレームからなるオーディオストリームｅｘ２３８を、それぞれＰＥＳパケット列ｅｘ２３６およびｅｘ２３９に変換し、ＴＳパケットｅｘ２３７およびｅｘ２４０に変換する。同じくプレゼンテーショングラフィックスストリームｅｘ２４１およびインタラクティブグラフィックスｅｘ２４４のデータをそれぞれＰＥＳパケット列ｅｘ２４２およびｅｘ２４５に変換し、さらにＴＳパケットｅｘ２４３およびｅｘ２４６に変換する。多重化データｅｘ２４７はこれらのＴＳパケットを１本のストリームに多重化することで構成される。
【００７７】
図１８は、ＰＥＳパケット列に、ビデオストリームがどのように格納されるかをさらに詳しく示している。図１８における第１段目はビデオストリームのビデオフレーム列を示す。第２段目は、ＰＥＳパケット列を示す。図１８の矢印ｙｙ１，ｙｙ２，ｙｙ３，ｙｙ４に示すように、ビデオストリームにおける複数のＶｉｄｅｏ  Ｐｒｅｓｅｎｔａｔｉｏｎ  ＵｎｉｔであるＩピクチャ、Ｂピクチャ、Ｐピクチャは、ピクチャ毎に分割され、ＰＥＳパケットのペイロードに格納される。各ＰＥＳパケットはＰＥＳヘッダを持ち、ＰＥＳヘッダには、ピクチャの表示時刻であるＰＴＳ（Ｐｒｅｓｅｎｔａｔｉｏｎ  Ｔｉｍｅ−Ｓｔａｍｐ）やピクチャの復号時刻であるＤＴＳ（Ｄｅｃｏｄｉｎｇ  Ｔｉｍｅ−Ｓｔａｍｐ）が格納される。
【００７８】
図１９は、多重化データに最終的に書き込まれるＴＳパケットの形式を示している。ＴＳパケットは、ストリームを識別するＰＩＤなどの情報を持つ４ＢｙｔｅのＴＳヘッダとデータを格納する１８４ＢｙｔｅのＴＳペイロードから構成される１８８Ｂｙｔｅ固定長のパケットであり、上記ＰＥＳパケットは分割されＴＳペイロードに格納される。ＢＤ−ＲＯＭの場合、ＴＳパケットには、４ＢｙｔｅのＴＰ＿Ｅｘｔｒａ＿Ｈｅａｄｅｒが付与され、１９２Ｂｙｔｅのソースパケットを構成し、多重化データに書き込まれる。ＴＰ＿Ｅｘｔｒａ＿ＨｅａｄｅｒにはＡＴＳ（Ａｒｒｉｖａｌ＿Ｔｉｍｅ＿Ｓｔａｍｐ）などの情報が記載される。ＡＴＳは当該ＴＳパケットのデコーダのＰＩＤフィルタへの転送開始時刻を示す。多重化データには図１９下段に示すようにソースパケットが並ぶこととなり、多重化データの先頭からインクリメントする番号はＳＰＮ（ソースパケットナンバー）と呼ばれる。
【００７９】
また、多重化データに含まれるＴＳパケットには、映像・音声・字幕などの各ストリーム以外にもＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）、ＰＣＲ（Ｐｒｏｇｒａｍ  Ｃｌｏｃｋ  Ｒｅｆｅｒｅｎｃｅ）などがある。ＰＡＴは多重化データ中に利用されるＰＭＴのＰＩＤが何であるかを示し、ＰＡＴ自身のＰＩＤは０で登録される。ＰＭＴは、多重化データ中に含まれる映像・音声・字幕などの各ストリームのＰＩＤと各ＰＩＤに対応するストリームの属性情報を持ち、また多重化データに関する各種ディスクリプタを持つ。ディスクリプタには多重化データのコピーを許可・不許可を指示するコピーコントロール情報などがある。ＰＣＲは、ＡＴＳの時間軸であるＡＴＣ（Ａｒｒｉｖａｌ  Ｔｉｍｅ  Ｃｌｏｃｋ）とＰＴＳ・ＤＴＳの時間軸であるＳＴＣ（Ｓｙｓｔｅｍ  Ｔｉｍｅ  Ｃｌｏｃｋ）の同期を取るために、そのＰＣＲパケットがデコーダに転送されるＡＴＳに対応するＳＴＣ時間の情報を持つ。
【００８０】
図２０はＰＭＴのデータ構造を詳しく説明する図である。ＰＭＴの先頭には、そのＰＭＴに含まれるデータの長さなどを記したＰＭＴヘッダが配置される。その後ろには、多重化データに関するディスクリプタが複数配置される。上記コピーコントロール情報などが、ディスクリプタとして記載される。ディスクリプタの後には、多重化データに含まれる各ストリームに関するストリーム情報が複数配置される。ストリーム情報は、ストリームの圧縮コーデックなどを識別するためストリームタイプ、ストリームのＰＩＤ、ストリームの属性情報（フレームレート、アスペクト比など）が記載されたストリームディスクリプタから構成される。ストリームディスクリプタは多重化データに存在するストリームの数だけ存在する。
【００８１】
記録媒体などに記録する場合には、上記多重化データは、多重化データ情報ファイルと共に記録される。
【００８２】
多重化データ情報ファイルは、図２１に示すように多重化データの管理情報であり、多重化データと１対１に対応し、多重化データ情報、ストリーム属性情報とエントリマップから構成される。
【００８３】
多重化データ情報は図２１に示すようにシステムレート、再生開始時刻、再生終了時刻から構成されている。システムレートは多重化データの、後述するシステムターゲットデコーダのＰＩＤフィルタへの最大転送レートを示す。多重化データ中に含まれるＡＴＳの間隔はシステムレート以下になるように設定されている。再生開始時刻は多重化データの先頭のビデオフレームのＰＴＳであり、再生終了時刻は多重化データの終端のビデオフレームのＰＴＳに１フレーム分の再生間隔を足したものが設定される。
【００８４】
ストリーム属性情報は図２２に示すように、多重化データに含まれる各ストリームについての属性情報が、ＰＩＤ毎に登録される。属性情報はビデオストリーム、オーディオストリーム、プレゼンテーショングラフィックスストリーム、インタラクティブグラフィックスストリーム毎に異なる情報を持つ。ビデオストリーム属性情報は、そのビデオストリームがどのような圧縮コーデックで圧縮されたか、ビデオストリームを構成する個々のピクチャデータの解像度がどれだけであるか、アスペクト比はどれだけであるか、フレームレートはどれだけであるかなどの情報を持つ。オーディオストリーム属性情報は、そのオーディオストリームがどのような圧縮コーデックで圧縮されたか、そのオーディオストリームに含まれるチャンネル数は何であるか、何の言語に対応するか、サンプリング周波数がどれだけであるかなどの情報を持つ。これらの情報は、プレーヤが再生する前のデコーダの初期化などに利用される。
【００８５】
本実施の形態においては、上記多重化データのうち、ＰＭＴに含まれるストリームタイプを利用する。また、記録媒体に多重化データが記録されている場合には、多重化データ情報に含まれる、ビデオストリーム属性情報を利用する。具体的には、上記各実施の形態で示した動画像符号化方法または装置において、ＰＭＴに含まれるストリームタイプ、または、ビデオストリーム属性情報に対し、上記各実施の形態で示した動画像符号化方法または装置によって生成された映像データであることを示す固有の情報を設定するステップまたは手段を設ける。この構成により、上記各実施の形態で示した動画像符号化方法または装置によって生成した映像データと、他の規格に準拠する映像データとを識別することが可能になる。
【００８６】
また、本実施の形態における動画像復号化方法のステップを図２３に示す。ステップｅｘＳ１００において、多重化データからＰＭＴに含まれるストリームタイプ、または、多重化データ情報に含まれるビデオストリーム属性情報を取得する。次に、ステップｅｘＳ１０１において、ストリームタイプ、または、ビデオストリーム属性情報が上記各実施の形態で示した動画像符号化方法または装置によって生成された多重化データであることを示しているか否かを判断する。そして、ストリームタイプ、または、ビデオストリーム属性情報が上記各実施の形態で示した動画像符号化方法または装置によって生成されたものであると判断された場合には、ステップｅｘＳ１０２において、上記各実施の形態で示した動画像復号方法により復号を行う。また、ストリームタイプ、または、ビデオストリーム属性情報が、従来のＭＰＥＧ−２、ＭＰＥＧ４−ＡＶＣ、ＶＣ−１などの規格に準拠するものであることを示している場合には、ステップｅｘＳ１０３において、従来の規格に準拠した動画像復号方法により復号を行う。
【００８７】
このように、ストリームタイプ、または、ビデオストリーム属性情報に新たな固有値を設定することにより、復号する際に、上記各実施の形態で示した動画像復号化方法または装置で復号可能であるかを判断することができる。従って、異なる規格に準拠する多重化データが入力された場合であっても、適切な復号化方法または装置を選択することができるため、エラーを生じることなく復号することが可能となる。また、本実施の形態で示した動画像符号化方法または装置、または、動画像復号方法または装置を、上述したいずれの機器・システムに用いることも可能である。
【００８８】
（実施の形態５）
上記各実施の形態で示した動画像符号化方法および装置、動画像復号化方法および装置は、典型的には集積回路であるＬＳＩで実現される。一例として、図２４に１チップ化されたＬＳＩｅｘ５００の構成を示す。ＬＳＩｅｘ５００は、以下に説明する要素ｅｘ５０１、ｅｘ５０２、ｅｘ５０３、ｅｘ５０４、ｅｘ５０５、ｅｘ５０６、ｅｘ５０７、ｅｘ５０８、ｅｘ５０９を備え、各要素はバスｅｘ５１０を介して接続している。電源回路部ｅｘ５０５は電源がオン状態の場合に各部に対して電力を供給することで動作可能な状態に起動する。
【００８９】
例えば符号化処理を行う場合には、ＬＳＩｅｘ５００は、ＣＰＵｅｘ５０２、メモリコントローラｅｘ５０３、ストリームコントローラｅｘ５０４、駆動周波数制御部ｅｘ５１２等を有する制御部ｅｘ５０１の制御に基づいて、ＡＶ  Ｉ／Ｏｅｘ５０９によりマイクｅｘ１１７やカメラｅｘ１１３等からＡＶ信号を入力する。入力されたＡＶ信号は、一旦ＳＤＲＡＭ等の外部のメモリｅｘ５１１に蓄積される。制御部ｅｘ５０１の制御に基づいて、蓄積したデータは処理量や処理速度に応じて適宜複数回に分けるなどされ信号処理部ｅｘ５０７に送られ、信号処理部ｅｘ５０７において音声信号の符号化および／または映像信号の符号化が行われる。ここで映像信号の符号化処理は上記各実施の形態で説明した符号化処理である。信号処理部ｅｘ５０７ではさらに、場合により符号化された音声データと符号化された映像データを多重化するなどの処理を行い、ストリームＩ／Ｏｅｘ５０６から外部に出力する。この出力された多重化データは、基地局ｅｘ１０７に向けて送信されたり、または記録メディアｅｘ２１５に書き込まれたりする。なお、多重化する際には同期するよう、一旦バッファｅｘ５０８にデータを蓄積するとよい。
【００９０】
なお、上記では、メモリｅｘ５１１がＬＳＩｅｘ５００の外部の構成として説明したが、ＬＳＩｅｘ５００の内部に含まれる構成であってもよい。バッファｅｘ５０８も１つに限ったものではなく、複数のバッファを備えていてもよい。また、ＬＳＩｅｘ５００は１チップ化されてもよいし、複数チップ化されてもよい。
【００９１】
また、上記では、制御部ｅｘ５０１が、ＣＰＵｅｘ５０２、メモリコントローラｅｘ５０３、ストリームコントローラｅｘ５０４、駆動周波数制御部ｅｘ５１２等を有するとしているが、制御部ｅｘ５０１の構成は、この構成に限らない。例えば、信号処理部ｅｘ５０７がさらにＣＰＵを備える構成であってもよい。信号処理部ｅｘ５０７の内部にもＣＰＵを設けることにより、処理速度をより向上させることが可能になる。また、他の例として、ＣＰＵｅｘ５０２が信号処理部ｅｘ５０７、または信号処理部ｅｘ５０７の一部である例えば音声信号処理部を備える構成であってもよい。このような場合には、制御部ｅｘ５０１は、信号処理部ｅｘ５０７、またはその一部を有するＣＰＵｅｘ５０２を備える構成となる。
【００９２】
なお、ここでは、ＬＳＩとしたが、集積度の違いにより、ＩＣ、システムＬＳＩ、スーパーＬＳＩ、ウルトラＬＳＩと呼称されることもある。
【００９３】
また、集積回路化の手法はＬＳＩに限るものではなく、専用回路または汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用してもよい。
【００９４】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。
【００９５】
（実施の形態６）
上記各実施の形態で示した動画像符号化方法または装置によって生成された映像データを復号する場合、従来のＭＰＥＧ−２、ＭＰＥＧ４−ＡＶＣ、ＶＣ−１などの規格に準拠する映像データを復号する場合に比べ、処理量が増加することが考えられる。そのため、ＬＳＩｅｘ５００において、従来の規格に準拠する映像データを復号する際のＣＰＵｅｘ５０２の駆動周波数よりも高い駆動周波数に設定する必要がある。しかし、駆動周波数を高くすると、消費電力が高くなるという課題が生じる。
【００９６】
この課題を解決するために、テレビｅｘ３００、ＬＳＩｅｘ５００などの動画像復号化装置は、映像データがどの規格に準拠するものであるかを識別し、規格に応じて駆動周波数を切替える構成とする。図２５は、本実施の形態における構成ｅｘ８００を示している。駆動周波数切替え部ｅｘ８０３は、映像データが、上記各実施の形態で示した動画像符号化方法または装置によって生成されたものである場合には、駆動周波数を高く設定する。そして、上記各実施の形態で示した動画像復号化方法を実行する復号処理部ｅｘ８０１に対し、映像データを復号するよう指示する。一方、映像データが、従来の規格に準拠する映像データである場合には、映像データが、上記各実施の形態で示した動画像符号化方法または装置によって生成されたものである場合に比べ、駆動周波数を低く設定する。そして、従来の規格に準拠する復号処理部ｅｘ８０２に対し、映像データを復号するよう指示する。
【００９７】
より具体的には、駆動周波数切替え部ｅｘ８０３は、図２４のＣＰＵｅｘ５０２と駆動周波数制御部ｅｘ５１２から構成される。また、上記各実施の形態で示した動画像復号化方法を実行する復号処理部ｅｘ８０１、および、従来の規格に準拠する復号処理部ｅｘ８０２は、図２４の信号処理部ｅｘ５０７に該当する。ＣＰＵｅｘ５０２は、映像データがどの規格に準拠するものであるかを識別する。そして、ＣＰＵｅｘ５０２からの信号に基づいて、駆動周波数制御部ｅｘ５１２は、駆動周波数を設定する。また、ＣＰＵｅｘ５０２からの信号に基づいて、信号処理部ｅｘ５０７は、映像データの復号を行う。ここで、映像データの識別には、例えば、実施の形態４で記載した識別情報を利用することが考えられる。識別情報に関しては、実施の形態４で記載したものに限られず、映像データがどの規格に準拠するか識別できる情報であればよい。例えば、映像データがテレビに利用されるものであるか、ディスクに利用されるものであるかなどを識別する外部信号に基づいて、映像データがどの規格に準拠するものであるか識別可能である場合には、このような外部信号に基づいて識別してもよい。また、ＣＰＵｅｘ５０２における駆動周波数の選択は、例えば、図２７のような映像データの規格と、駆動周波数とを対応付けたルックアップテーブルに基づいて行うことが考えられる。ルックアップテーブルを、バッファｅｘ５０８や、ＬＳＩの内部メモリに格納しておき、ＣＰＵｅｘ５０２がこのルックアップテーブルを参照することにより、駆動周波数を選択することが可能である。
【００９８】
図２６は、本実施の形態の方法を実施するステップを示している。まず、ステップｅｘＳ２００では、信号処理部ｅｘ５０７において、多重化データから識別情報を取得する。次に、ステップｅｘＳ２０１では、ＣＰＵｅｘ５０２において、識別情報に基づいて映像データが上記各実施の形態で示した符号化方法または装置によって生成されたものであるか否かを識別する。映像データが上記各実施の形態で示した符号化方法または装置によって生成されたものである場合には、ステップｅｘＳ２０２において、駆動周波数を高く設定する信号を、ＣＰＵｅｘ５０２が駆動周波数制御部ｅｘ５１２に送る。そして、駆動周波数制御部ｅｘ５１２において、高い駆動周波数に設定される。一方、従来のＭＰＥＧ−２、ＭＰＥＧ４−ＡＶＣ、ＶＣ−１などの規格に準拠する映像データであることを示している場合には、ステップｅｘＳ２０３において、駆動周波数を低く設定する信号を、ＣＰＵｅｘ５０２が駆動周波数制御部ｅｘ５１２に送る。そして、駆動周波数制御部ｅｘ５１２において、映像データが上記各実施の形態で示した符号化方法または装置によって生成されたものである場合に比べ、低い駆動周波数に設定される。
【００９９】
さらに、駆動周波数の切替えに連動して、ＬＳＩｅｘ５００またはＬＳＩｅｘ５００を含む装置に与える電圧を変更することにより、省電力効果をより高めることが可能である。例えば、駆動周波数を低く設定する場合には、これに伴い、駆動周波数を高く設定している場合に比べ、ＬＳＩｅｘ５００またはＬＳＩｅｘ５００を含む装置に与える電圧を低く設定することが考えられる。
【０１００】
また、駆動周波数の設定方法は、復号する際の処理量が大きい場合に、駆動周波数を高く設定し、復号する際の処理量が小さい場合に、駆動周波数を低く設定すればよく、上述した設定方法に限らない。例えば、ＭＰＥＧ４−ＡＶＣ規格に準拠する映像データを復号する処理量の方が、上記各実施の形態で示した動画像符号化方法または装置により生成された映像データを復号する処理量よりも大きい場合には、駆動周波数の設定を上述した場合の逆にすることが考えられる。
【０１０１】
さらに、駆動周波数の設定方法は、駆動周波数を低くする構成に限らない。例えば、識別情報が、上記各実施の形態で示した動画像符号化方法または装置によって生成された映像データであることを示している場合には、ＬＳＩｅｘ５００またはＬＳＩｅｘ５００を含む装置に与える電圧を高く設定し、従来のＭＰＥＧ−２、ＭＰＥＧ４−ＡＶＣ、ＶＣ−１などの規格に準拠する映像データであることを示している場合には、ＬＳＩｅｘ５００またはＬＳＩｅｘ５００を含む装置に与える電圧を低く設定することも考えられる。また、他の例としては、識別情報が、上記各実施の形態で示した動画像符号化方法または装置によって生成された映像データであることを示している場合には、ＣＰＵｅｘ５０２の駆動を停止させることなく、従来のＭＰＥＧ−２、ＭＰＥＧ４−ＡＶＣ、ＶＣ−１などの規格に準拠する映像データであることを示している場合には、処理に余裕があるため、ＣＰＵｅｘ５０２の駆動を一時停止させることも考えられる。識別情報が、上記各実施の形態で示した動画像符号化方法または装置によって生成された映像データであることを示している場合であっても、処理に余裕があれば、ＣＰＵｅｘ５０２の駆動を一時停止させることも考えられる。この場合は、従来のＭＰＥＧ−２、ＭＰＥＧ４−ＡＶＣ、ＶＣ−１などの規格に準拠する映像データであることを示している場合に比べて、停止時間を短く設定することが考えられる。
【０１０２】
このように、映像データが準拠する規格に応じて、駆動周波数を切替えることにより、省電力化を図ることが可能になる。また、電池を用いてＬＳＩｅｘ５００またはＬＳＩｅｘ５００を含む装置を駆動している場合には、省電力化に伴い、電池の寿命を長くすることが可能である。
【０１０３】
（実施の形態７）
テレビや、携帯電話など、上述した機器・システムには、異なる規格に準拠する複数の映像データが入力される場合がある。このように、異なる規格に準拠する複数の映像データが入力された場合にも復号できるようにするために、ＬＳＩｅｘ５００の信号処理部ｅｘ５０７が複数の規格に対応している必要がある。しかし、それぞれの規格に対応する信号処理部ｅｘ５０７を個別に用いると、ＬＳＩｅｘ５００の回路規模が大きくなり、また、コストが増加するという課題が生じる。
【０１０４】
この課題を解決するために、上記各実施の形態で示した動画像復号方法を実行するための復号処理部と、従来のＭＰＥＧ−２、ＭＰＥＧ４−ＡＶＣ、ＶＣ−１などの規格に準拠する復号処理部とを一部共有化する構成とする。この構成例を図２８Ａのｅｘ９００に示す。例えば、上記各実施の形態で示した動画像復号方法と、ＭＰＥＧ４−ＡＶＣ規格に準拠する動画像復号方法とは、エントロピー符号化、逆量子化、デブロッキング・フィルタ、動き補償などの処理において処理内容が一部共通する。共通する処理内容については、ＭＰＥＧ４−ＡＶＣ規格に対応する復号処理部ｅｘ９０２を共有し、ＭＰＥＧ４−ＡＶＣ規格に対応しない、本発明の一態様に特有の他の処理内容については、専用の復号処理部ｅｘ９０１を用いるという構成が考えられる。特に、本発明の一態様は、逆量子化に特徴を有していることから、例えば、逆量子化については専用の復号処理部ｅｘ９０１を用い、それ以外のエントロピー復号、デブロッキング・フィルタ、動き補償のいずれか、または、全ての処理については、復号処理部を共有することが考えられる。復号処理部の共有化に関しては、共通する処理内容については、上記各実施の形態で示した動画像復号化方法を実行するための復号処理部を共有し、ＭＰＥＧ４−ＡＶＣ規格に特有の処理内容については、専用の復号処理部を用いる構成であってもよい。
【０１０５】
また、処理を一部共有化する他の例を図２８Ｂのｅｘ１０００に示す。この例では、本発明の一態様に特有の処理内容に対応した専用の復号処理部ｅｘ１００１と、他の従来規格に特有の処理内容に対応した専用の復号処理部ｅｘ１００２と、本発明の一態様に係る動画像復号方法と他の従来規格の動画像復号方法とに共通する処理内容に対応した共用の復号処理部ｅｘ１００３とを用いる構成としている。ここで、専用の復号処理部ｅｘ１００１、ｅｘ１００２は、必ずしも本発明の一態様、または、他の従来規格に特有の処理内容に特化したものではなく、他の汎用処理を実行できるものであってもよい。また、本実施の形態の構成を、ＬＳＩｅｘ５００で実装することも可能である。
【０１０６】
このように、本発明の一態様に係る動画像復号方法と、従来の規格の動画像復号方法とで共通する処理内容について、復号処理部を共有することにより、ＬＳＩの回路規模を小さくし、かつ、コストを低減することが可能である。
【産業上の利用可能性】
【０１０７】
本発明の一態様に係る画像符号化装置及び画像復号装置は、例えば、テレビジョン受信機、デジタルビデオレコーダ、カーナビゲーションシステム、携帯電話、デジタルカメラ、又は、デジタルビデオカメラなどに適用可能である。
【符号の説明】
【０１０８】
１００  動画像／画像符号化装置
１０１  変換部
１０２  量子化部
１０３、８０２  逆量子化部
１０４、８０３  逆変換部
１０５、８０４  ブロックメモリ
１０６、８０５  ピクチャメモリ
１０７、８０６  イントラ予測部
１０８、８０７  インター予測部
１０９  エントロピー符号化部
１１１、８０８  加算器
１１２、８０９  切替器
１１３、８１０  ピクチャメモリ制御部
２００、３００、４００  バッファ記述（ＢＤ）
８００  動画像／画像復号装置
８０１  エントロピー復号部
【図１】
2015506596.tif 000003
【図２】
2015506596.tif 000004
【図３】
2015506596.tif 000005
【図４】
2015506596.tif 000006
【図５】
2015506596.tif 000007
【図６】
2015506596.tif 000008
【図７】
2015506596.tif 000009
【図８】
2015506596.tif 000010
【図９】
2015506596.tif 000011
【図１０】
2015506596.tif 000012
【図１１】
2015506596.tif 000013
【図１２】
2015506596.tif 000014
【図１３】
2015506596.tif 000015
【図１４】
2015506596.tif 000016
【図１５Ａ】
2015506596.tif 000017
【図１５Ｂ】
2015506596.tif 000018
【図１６】
2015506596.tif 000019
【図１７】
2015506596.tif 000020
【図１８】
2015506596.tif 000021
【図１９】
2015506596.tif 000022
【図２０】
2015506596.tif 000023
【図２１】
2015506596.tif 000024
【図２２】
2015506596.tif 000025
【図２３】
2015506596.tif 000026
【図２４】
2015506596.tif 000027
【図２５】
2015506596.tif 000028
【図２６】
2015506596.tif 000029
【図２７】
2015506596.tif 000030
【図２８Ａ】
2015506596.tif 000031
【図２８Ｂ】
2015506596.tif 000032
【手続補正書】
【提出日】平成26年7月11日(2014.7.11)
【手続補正１】
【補正対象書類名】特許請求の範囲
【補正対象項目名】全文
【補正方法】変更
【補正の内容】
【特許請求の範囲】
【請求項１】
動画像をビットストリームに符号化する動画像符号化方法であって、
複数の参照ピクチャの参照識別子と、時間識別子と、使用識別子と、スケール及びビューのうち少なくとも１つを示す１以上のパラメータとを含む参照ピクチャセットを前記ビットストリームのヘッダに書き込む参照ピクチャセット書き込みステップと、
前記参照ピクチャを１以上有する参照ピクチャリストを作成する参照ピクチャリスト作成ステップと、
前記参照ピクチャリストの参照インデックスに関連付けられている参照ピクチャから前記動画像のブロックを符号化する符号化ステップと、
前記参照インデックスを前記ビットストリームに書き込む参照インデックス書き込みステップとを含む
動画像符号化方法。
【請求項２】
前記参照ピクチャリスト作成ステップは、
使用パラメータに基づいて、有効参照ピクチャ群を選択する選択ステップと、
スケール及びビューのうち少なくとも１つを示す共通のパラメータを有するピクチャのサブセットに前記有効参照ピクチャを分類する分類ステップと、
ピクチャ・オーダー・カウントに応じた順序で各サブセット内の前記参照ピクチャのそれぞれに前記参照インデックスを割り当てる割り当てステップとを含む
請求項１記載の方法。
【請求項３】
前記参照ピクチャリスト作成ステップは、
使用パラメータと、前記１以上のパラメータとに基づいて、有効参照ピクチャ群を選択する選択ステップと、
スケール及びビューのうち少なくとも１つを示す共通のパラメータを有するピクチャのサブセットに前記有効参照ピクチャを分類する分類ステップと、
ピクチャ・オーダー・カウントに応じた順序で各サブセット内の前記参照ピクチャのそれぞれに前記参照インデックスを割り当てる割り当てステップとを含む
請求項１記載の方法。
【請求項４】
前記１以上のパラメータがスケールを示す場合には、前記１以上のパラメータは、解像度、時間、質のうち少なくとも１つを表す
請求項１から３のいずれか一項に記載の方法。
【請求項５】
前記スケールパラメータは、０若しくは１の２値、又は、０以上の整数値である
請求項１から３のいずれか一項に記載の方法。
【請求項６】
前記ビューパラメータは、０以上の整数値である
請求項１から５のいずれか一項に記載の方法。
【請求項７】
１以上のプロセッサと、前記１以上のプロセッサに接続された記録媒体とを備え、動画像をビットストリームに符号化する動画像符号化装置であって、
前記１以上のプロセッサは、
複数の参照ピクチャの参照識別子と、時間識別子と、使用識別子と、スケール及びビューのうち少なくとも１つを示す１以上のパラメータとを含む参照ピクチャセットを前記ビットストリームのヘッダに書き込み、
前記参照ピクチャを１以上有する参照ピクチャリストを作成し、
前記参照ピクチャリストの参照インデックスに関連付けられている参照ピクチャから前記動画像のブロックを符号化し、
前記参照インデックスを前記ビットストリームに書き込む
動画像符号化装置。
【請求項８】
ビットストリームから動画像を復号する動画像復号方法であって、
前記ビットストリームから、複数の参照ピクチャの参照識別子と、時間識別子と、使用識別子と、スケール及びビューのうち少なくとも１つを示す１以上のパラメータとを含む参照ピクチャセットを読み解く参照ピクチャセット読解ステップと、
参照ピクチャを１以上有する参照ピクチャリストを作成する参照ピクチャリスト作成ステップと、
前記ビットストリームから参照インデックスを読み解いて、前記参照ピクチャリストにおいて当該参照インデックスに関連付けられている参照ピクチャを選択する参照インデックス読解ステップと、
選択された前記参照ピクチャから前記動画像のブロックを復号する復号ステップとを含む
動画像復号方法。
【請求項９】
前記参照ピクチャリスト作成ステップは、
使用パラメータに基づいて、有効参照ピクチャ群を選択する選択ステップと、
スケール及びビューのうち少なくとも１つを示す共通のパラメータを有するピクチャのサブセットに前記有効参照ピクチャを分類する分類ステップと、
ピクチャ・オーダー・カウントに応じた順序で各サブセット内の前記参照ピクチャのそれぞれに前記参照インデックスを割り当てる割り当てステップとを含む
請求項８記載の方法。
【請求項１０】
前記参照ピクチャリスト作成ステップは、
前記使用パラメータと、前記１以上のパラメータとに基づいて、有効参照ピクチャ群を選択する選択ステップと、
スケール及びビューのうち少なくとも１つを示す共通のパラメータを有するピクチャのサブセットに前記有効参照ピクチャを分類する分類ステップと、
ピクチャ・オーダー・カウントに応じた順序で各サブセット内の前記参照ピクチャに前記参照インデックスを割り当てる割り当てステップとを含む
請求項８記載の方法。
【請求項１１】
１以上のプロセッサと、前記１以上のプロセッサに接続された記録媒体とを備え、ビットストリームから動画像を復号する動画像復号装置であって、
前記１以上のプロセッサは、
前記ビットストリームから、複数の参照ピクチャの参照識別子と、時間識別子と、使用識別子と、スケール及びビューのうち少なくとも１つを示す１以上のパラメータとを含む参照ピクチャセットを読み解き、
参照ピクチャを１以上有する参照ピクチャリストを作成し、
前記ビットストリームから参照インデックスを読み解いて、前記参照ピクチャリストにおいて当該参照インデックスに関連付けられている参照ピクチャを選択し、
選択された前記参照ピクチャから前記動画像のブロックを復号する
動画像復号装置。
【国際調査報告】
2015506596.tif 000033
2015506596.tif 000034